(57)【要約】【課題】様々な太さの物を結束でき、コストが低く、結束作業の生産性を向上できる結束バンドを提供する。【解決手段】結束バンドのストラップは、帯状部及び複数の突出部を備える。複数の突出部は、帯状部に結合され、帯状部の長さ方向に配列される。結束バンドのヘッドは、通路形成物及び抜け止め爪を備える。通路形成物は、帯状部の一端に結合される。通路形成物にはストラップ通路が形成される。抜け止め孔は、ストラップ通路の内面から突出する。ストラップがストラップ通路に通された場合は、複数の突出部のうちのひとつが抜け止め爪に引っ掛かり、ストラップがストラップ通路から抜け止めされる。帯状部及び複数の突出部は相対的に弾性が大きい材料からなる。ヘッドは相対的に弾性が小さい材料からなる。【選択図】図１
2014201351.tif 000002
【特許請求の範囲】
【請求項１】
帯状部及び複数の突出部を備え、前記帯状部が一端及び他端を有し、前記複数の突出部が前記帯状部に結合され、前記複数の突出部が前記帯状部の長さ方向に配列され、前記帯状部及び前記複数の突出部が相対的に弾性が大きい材料からなるストラップと、
通路形成物及び抜け止め爪を備え、前記通路形成物が前記一端に結合され、前記通路形成物にストラップ通路が形成され、前記抜け止め爪が前記ストラップ通路の内面から突出し、前記ストラップが前記ストラップ通路に通された場合に前記複数の突出部のうちのひとつが前記抜け止め爪に引っ掛かり前記ストラップが前記ストラップ通路から抜け止めされ、相対的に弾性が小さい材料からなるヘッドと、
を備える結束バンド。
【請求項２】
前記ストラップは、
相対的に弾性が小さい材料からなり、前記他端に結合される先端片
をさらに備える請求項１の結束バンド。
【請求項３】
前記帯状部は、第１の主面、第２の主面、第１の端面及び第２の端面を有し、前記複数の突出部が第１の複数の突出部であり、前記第１の突出部が前記第１の主面に結合され、前記抜け止め爪が第１の抜け止め爪であり、
前記ストラップは、
前記第１の端面に結合され、前記帯状部の長さ方向に配列される第２の複数の突出部と、
前記第２の端面に結合され、前記帯状部の長さ方向に配列される第３の複数の突出部と、
をさらに備え、
前記ヘッドは、
前記ストラップ通路の内面に突出し、前記ストラップが前記ストラップ通路に通された場合に前記第２の複数の突出部のうちのひとつを引っ掛けて前記ストラップを抜け止めする第２の抜け止め爪と、
前記ストラップ通路の内面に突出し、前記ストラップが前記ストラップ通路に通された場合に前記第３の複数の突出部のうちのひとつを引っ掛けて前記ストラップを抜け止めする第３の抜け止め爪と、
をさらに備える請求項１又は請求項２の結束バンド。
【請求項４】
前記帯状部は、第１の主面及び第２の主面を有し、前記複数の突出部が前記第１の主面に結合され、
前記ストラップが前記ストラップ通路に通された場合に前記ストラップの輪が形成され、前記輪において前記第１の主面が内周面になり前記第２の主面が外周面になる
請求項１又は請求項２の結束バンド。
【請求項５】
請求項１から請求項４までのいずれかの結束バンドと、
前記ヘッドに結合されるクリップと、
を備えるバンドクリップ。
【請求項６】
請求項５のバンドクリップと、
前記結束バンドに結束されるワイヤーハーネスと、
を備えるバンドグリップ付きワイヤーハーネス。
【発明の詳細な説明】
【技術分野】
【０００１】
本発明は、結束バンド、バンドクリップ及びバンドクリップ付きワイヤーハーネスに関する。
【背景技術】
【０００２】
特許文献１の結束バンドは、ストラップ（バンド帯部）及びヘッド（バンド締結部）を備える。ストラップは、複数の突出部（係合溝）を備える。ヘッドは、抜け止め爪（係合爪）を備える。ヘッドに形成されたストラップ通路（貫通路）にストラップが通され、複数の突出部のうちのひとつが抜け止め爪に引っ掛かり、ストラップが抜け止めされる。ストラップにより形成されるループの径は変化しうるため、特許文献１の結束バンドは様々な太さの物を結束できる。
【先行技術文献】
【特許文献】
【０００３】
【特許文献１】特開平１１−２２３２０３号公報
【発明の概要】
【発明が解決しようとする課題】
【０００４】
特許文献１の結束バンドにおいては、結束の後に余るストラップが長くなる場合がある。余ったストラップは無駄であり、結束バンドのコストを上昇させる原因になる。また、余ったストラップは、ハンドガン等を用いて切断しなければならない場合が多く、結束作業の生産性を低下させる原因になる。
【０００５】
本発明は、これらの問題を解決するためになされる。本発明が解決しようとする課題は、様々な太さの物を結束でき、コストが低く、結束作業の生産性を向上できる結束バンド及びこれに関連する技術を提供することである。
【課題を解決するための手段】
【０００６】
本発明の第１から第４までの態様は、結束バンドに向けられる。
【０００７】
本発明の第１の態様においては、ストラップは、帯状部及び複数の突出部を備える。複数の突出部は、帯状部に結合され、帯状部の長さ方向に配列される。ヘッドは、通路形成物及び抜け止め爪を備える。通路形成物は、帯状部の一端に結合される。通路形成物にはストラップ通路が形成される。抜け止め孔は、ストラップ通路の内面から突出する。ストラップがストラップ通路に通された場合は、複数の突出部のうちのひとつが抜け止め爪に引っ掛かり、ストラップがストラップ通路から抜け止めされる。帯状部及び複数の突出部は相対的に弾性が大きい材料からなる。ヘッドは相対的に弾性が小さい材料からなる。
【０００８】
本発明の第２の態様は、本発明の第１の態様に技術的事項を付加する。本発明の第２の態様においては、先端片が帯状部の他端に結合される。先端片は、相対的に弾性が小さい材料からなる。
【０００９】
本発明の第３の態様は、本発明の第１又は第２の態様に技術的事項を付加する。本発明の第３の態様においては、ストラップが上述の複数の突出部（第１の複数の突出部）に加えて第２の複数の突出部及び第３の複数の突出部を備え、ヘッドが上述の複数の抜け止め爪（第１の抜け止め爪）に加えて第２の抜け止め爪及び第３の抜け止め爪を備える。第１の複数の突出部、第２の複数の突出部及び第３の複数の突出部は、それぞれ、帯状部の第１の主面、第１の端面及び第２の端面に結合される。第２の複数の突出部及び第３の複数の突出部は、ストラップ通路の内面から突出する。ストラップがストラップ通路に通された場合は、第２の複数の突出部のうちのひとつ及び第３の複数の突出部のうちのひとつが、それぞれ、第２の抜け止め爪及び第３の抜け止め爪に引っ掛かり、ストラップがストラップ通路から抜け止めされる。
【００１０】
本発明の第４の態様は、本発明の第１又は第２の態様に技術的事項を付加する。本発明の第４の態様においては、複数の突出部が帯状部の第１の主面に結合される。帯状部の第１の主面及び第２の主面は、それぞれ、ストラップがストラップ通路に通された場合に形成される輪の内周面及び外周面になる。
【００１１】
本発明の第５の態様は、バンドクリップに向けられる。本発明の第６の態様は、バンドクリップ付きワイヤーハーネスに向けられる。
【発明の効果】
【００１２】
本発明によれば、結束される物の太さに応じて帯状部が伸びる。様々な太さの物を結束できる。結束の後に余るストラップが短くなる。結束バンドのコストが低下する。結束の後に余ったストラップを切り離す作業が省略されてもよい。結束作業の生産性が向上する。
【００１３】
特に、本発明の第２の態様によれば、ストラップがストラップ通路に容易に通される。結束作業が容易になる。
【００１４】
特に、本発明の第３の態様によれば、ストラップが抜けにくい。
【００１５】
特に、本発明の第４の態様によれば、突出部が結束される物に当たる。結束される物が周方向に回転しにくい。
【００１６】
これらの及びこれら以外の本発明の目的、特徴、局面及び利点は、添付図面とともに考慮されたときに下記の本発明の詳細な説明によってより明白となる。
【図面の簡単な説明】
【００１７】
【図１】バンドクリップの斜視図である。
【図２】バンドクリップの上面図である。
【図３】バンドクリップの側面図である。
【図４】バンドクリップ付きワイヤーハーネス等の断面図である。
【発明を実施するための形態】
【００１８】
図１の斜視図、図２の上面図及び図３の側面図は、この実施形態のバンドクリップ１０００を模式的に示す。
【００１９】
図１から図３までに示されるように、バンドクリップ１０００は、結束バンド１０２０及びアンカークリップ１０２１を備える。結束バンド１０２０は、ストラップ１０４０及びヘッド１０４１を備える。ストラップ１０４０は、帯状部１０６０、先端片１０６１、第１の複数の突出部１０６２、第２の複数の突出部１０６３及び第３の複数の突出部１０６４を備える。ヘッド１０４１は、通路形成物１０８０、第１の抜け止め爪１０８１、第２の抜け止め爪１０８２及び第３の抜け止め爪１０８３を備える。アンカークリップ１０２１は、頭１１００、脚１１０１及びたわみ片１１０２を備える。バンドクリップ１０００がこれらの構成物以外の構成物を備えてもよい。
【００２０】
帯状部１０６０、第１の複数の突出部１０６２、第２の複数の突出部１０６３及び第３の複数の突出部１０６４は、相対的に弾性が大きい材料からなる。アンカークリップ１０２１、先端片１０６１及びヘッド１０４１及びは、相対的に弾性が小さい材料からなる。
【００２１】
相対的に弾性が大きい材料は、望ましくはゴム又はエラストマーである。相対的に弾性が大きい材料がゴム及びエラストマー以外であってもよい。ゴムは、エチレンプロピレンジエンゴム（ＥＰＤＭ）等である。帯状部１０６０、第１の複数の突出部１０６２、第２の複数の突出部１０６３及び第３の複数の突出部１０６４は、望ましくは同じ材料からなるが、異なる材料からなってもよい。
【００２２】
相対的に弾性が小さい材料は、望ましくはポリプロピレン又はポリアミドである。相対的に弾性が小さい材料がポリプロピレン及びポリアミド以外であってもよい。アンカークリップ１０２１、先端片１０６１及びヘッド１０４１は、望ましくは同じ材料からなるが、異なる材料からなってもよい。
【００２３】
第１の複数の突出部１０６２、第２の複数の突出部１０６３及び第３の複数の突出部１０６４が帯状部１０６０と同様に相対的に弾性が大きい材料からなる場合は、ストラップ１０４０の製造が容易になり、第１の複数の突出部１０６２、第２の複数の突出部１０６３及び第３の複数の突出部１０６４が発する異音が抑制される。
【００２４】
結束バンド１０２０は、相対的に弾性が大きい材料からなる構成物及び相対的に弾性が小さい構成物からなる複合体である。結束バンド１０２０は、望ましくは二色成形により成形される。相対的に弾性が大きい材料からなる構成物及び相対的に弾性が小さい材料からなる構成物が溶着されてもよい。相対的に弾性が大きい材料からなる構成物及び相対的に弾性が小さい材料からなる構成物が接着剤等の接合媒体を用いて接合されてもよい。
【００２５】
ヘッド１０４１は、帯状部１０６０の一端１１２０に結合される。通路形成物１０８０には、ストラップ通路１１４０が形成される。ストラップ通路１１４０は、通路形成物１０８０を貫通する。第１の抜け止め爪１０８１、第２の抜け止め爪１０８２及び第３の抜け止め爪１０８３は、ストラップ通路１１４０の内面から突出する。
【００２６】
第１の複数の突出部１０６２、第２の複数の突出部１０６３及び第３の複数の突出部１０６４は、それぞれ、帯状部１０６０の第１の主面１１８０、第１の端面１１８２及び第２の端面１１８３に結合される。第１の複数の突出部１０６２、第２の複数の突出部１０６３及び第３の複数の突出部１０６４は、それぞれ、帯状部１０６０の第１の主面１１８０、第１の端面１１８２及び第２の端面１１８３から突出する。
【００２７】
第１の複数の突出部１０６２は、帯状部１０６０の長さ方向に配列される。第２の複数の突出部１０６３は、帯状部１０６０の長さ方向に配列される。第３の複数の突出部１０６４は、帯状部１０６０の長さ方向に配列される。
【００２８】
第１の複数の突出部１０６２のうちのひとつ、第２の複数の突出部１０６３のうちのひとつ及び第３の複数の突出部１０６４のうちのひとつが、それぞれ、第１の抜け止め爪１０８１、第２の抜け止め爪１０８２及び第３の抜け止め爪１０８３に引っ掛かってストラップ１０４０が三重に抜け止めされた場合は、ストラップ１０４０を抜け止めする能力が向上する。このため、このため、第１の複数の突出部１０６２、第２の複数の突出部１０６３及び第３の複数の突出部１０６４が相対的に弾性が大きい材料からなり弾性変形しやすくても、ストラップ１０４０がストラップ通路１１４０から抜けにくい。ただし、第２の複数の突出部１０６３及び第３の複数の突出部１０６４の両方又は片方が省略されてもよい。第２の複数の突出部１０６３が省略された場合は第２の抜け止め爪１０８２が省略される。第３の複数の突出部１０６４が省略された場合は第３の抜け止め爪１０８３が省略される。
【００２９】
先端片１０６１は、帯状部１０６０の他端１１２１に結合される。先端片１０６１は弾性変形しにくいため、先端片１０６１に続いて帯状部１０６０をストラップ通路１１４０に通すことにより、ストラップ１０４０がストラップ通路１１４０に容易に通され、結束作業が容易になる。ただし、先端片１０６１が省略された場合も、バンドクリップ１０００の有用性は維持される。
【００３０】
アンカークリップ１０２１は、ヘッド１０４１に結合される。アンカークリップ１０２１が他の種類のクリップに置き換えられてもよい。例えば、アンカークリップ１０２１がカヌークリップ、ブッシュクリップ等に置き換えられてもよい。アンカークリップ１０２１が省略され、結束バンド１０２０が単体で使用されてもよい。結束バンド１０２０がアンカークリップ１０２１以外の物に結合されてもよい。
【００３１】
図４の模式図は、バンドクリップ付きワイヤーハーネス１２２０等を模式的に示す。図４は、ストラップ１０４０がストラップ通路１１４０に通された状態を示す。
【００３２】
図４に示されるように、結束バンド１０２０は、ワイヤーハーネス１２００を結束する。これにより、バンドクリップ付きワイヤーハーネス１２２０が提供される。ただし、結束バンド１０２０がワイヤーハーネス１２００以外の物を結束してもよい。
【００３３】
ストラップ１０４０がストラップ通路１１４０に通された場合は、第１の複数の突出部１０６２のうちのひとつが第１の抜け止め爪１０８１に引っ掛かり、第２の複数の突出部１０６３のうちのひとつが第２の抜け止め爪１０８２に引っ掛かり、第３の複数の突出部１０６４のうちのひとつが第３の抜け止め爪１０８３に引っ掛かる。これらにより、ストラップ１０４０がストラップ通路１１４０から抜け止めされる。
【００３４】
帯状部１０６０は相対的に弾性が大きい材料からなるので、帯状部１０６０は結束される物の太さに応じて伸びる。このため、結束バンド１０２０は、様々な太さの物を結束できる。また、結束の後に余るストラップ１０４０が短くなり、結束バンド１０２０のコストが低下する。さらに、結束の後に余ったストラップ１０４０を切り離す作業が省略されてもよく、ストラップ１０４０を切断するためのハンドガン等も不要になり、結束作業の生産性が向上する。
【００３５】
ストラップ１０４０がストラップ通路１１４０に通された場合は、ストラップ１０４０の輪が形成され、当該輪において帯状部１０６０の第１の主面１１８０が内周面になり帯状部１０６０の第２の主面１１８１が外周面になる。第１の複数の突出部１０６２が結合される帯状部１０６０の第１の主面１１８０が内周面になる場合は、第１の複数の突出部１０６２がワイヤーハーネス１２００に当たり、ワイヤーハーネス１２００が周方向に回転しにくくなる。
【００３６】
バンドクリップ付きワイヤーハーネス１２２０が自動車等の車両に取り付けられる場合は、アンカークリップ１０２１が車体１２４０に固定される。これにより、ワイヤーハーネス１２００の特定の箇所が車体１２４０に固定される。バンドクリップ付きワイヤーハーネス１２２０が車両以外に取り付けられてもよい。例えば、バンドクリップ付きワイヤーハーネス１２２０が、複写機等に取り付けられてもよい。
【００３７】
アンカークリップ１０２１が車体１２４０に固定される場合は、車体１２４０に形成された孔１３２０に脚１１０１及びたわみ片１１０２が挿される。たわみ片１１０２が脚１１０１に近づく方向にたわみ、最終的に頭１１００が車体１２４０に当たるまで脚１１０１及びたわみ片１１０２が挿される。
【００３８】
ワイヤーハーネス１２００は、自動車に搭載された２個以上の機器を電気的に接続する。ワイヤーハーネス１２００は、典型的には、分岐を有し、３個以上の機器を電気的に接続する。ワイヤーハーネス１２００が分岐を有さず２個の機器を電気的に接続する場合もある。
【００３９】
本発明は詳細に示され記述されたが、上記の記述は全ての局面において例示であって限定的ではない。したがって、本発明の範囲からはずれることなく無数の修正及び変形が案出されうると解される。
【符号の説明】
【００４０】
１０００  バンドクリップ
１０２０  結束バンド
１０２１  アンカークリップ
１０４０  ストラップ
１０４１  ヘッド
１０６０  帯状部
１０６１  先端片
１０６２  第１の複数の突出部
１０６３  第２の複数の突出部
１０６４  第３の複数の突出部
１０８０  通路形成物
１０８１  第１の抜け止め爪
１０８２  第２の抜け止め爪
１０８３  第３の抜け止め爪
１１４０  ストラップ通路
１２００  ワイヤーハーネス
１２２０  バンドクリップ付きワイヤーハーネス
【図１】
2014201351.tif 000003
【図２】
2014201351.tif 000004
【図３】
2014201351.tif 000005
【図４】
2014201351.tif 000006